(57)【要約】【課題】本発明では、撮像感度の低下を抑えつつ、実効的な解像度を高めることが可能な画像読取装置を提供することを目的とする。【解決手段】本発明の画像読取装置は、画像読取対象である原稿の光を予め定められた読み取り方向に光電変換し、読み取り方向の画像信号を生成する光電変換部と、原稿と光電変換部とを副走査方向へ相対移動させて副走査を行う副走査部とを備える。この画像読取装置では、光電変換部の読み取り方向が、副走査方向に対して傾き角θ（θ≠９０度）で斜めに設定されている。【選択図】        図３
2005057381.tif 000002
【特許請求の範囲】
【請求項１】
画像読取対象である原稿の光を、予め定められた読み取り方向に光電変換し、前記読み取り方向の画像信号を生成する光電変換部と、
前記原稿と前記光電変換部とを副走査方向へ相対移動させることにより、副走査を行う副走査部と
を備えた画像読取装置であって、
前記光電変換部の前記読み取り方向が、前記副走査方向に対して傾き角θ（θ≠９０度）で斜めに設定された
ことを特徴とする画像読取装置。
【請求項２】
請求項１に記載の画像読取装置において、
前記副走査部は、前記光電変換部による前記副走査方向の画像サンプリング間隔Ｄｓが下式に等しくなるように、前記副走査を実行する
前記副走査方向の画像サンプリング間隔Ｄｓ＝（前記読み取り方向の画像サンプリング間隔Ｄｍ）・ｃｏｓθ    ・・・［１］
ことを特徴とする画像読取装置。
【請求項３】
請求項１に記載の画像読取装置において、
前記副走査部は、前記光電変換部による前記副走査方向の画像サンプリング間隔Ｄｓが下式に等しくなるように前記副走査を実行する
前記副走査方向の画像サンプリング間隔Ｄｓ＝２・（前記読み取り方向の画像サンプリング間隔Ｄｍ）・ｃｏｓθ    ・・・［２］
ことを特徴とする画像読取装置。
【請求項４】
請求項１ないし請求項３のいずれか１項に記載の画像読取装置において、
前記光電変換部は、前記読み取り方向に配設した受光素子列を、前記副走査方向に複数本並べた構成である
ことを特徴とする画像読取装置。
【請求項５】
請求項４に記載の画像読取装置において、
前記光電変換部は、前記副走査方向に受光素子が平行して並ぶ
ことを特徴とする画像読取装置。
【請求項６】
請求項１ないし請求項５のいずれか１項に記載の画像読取装置において、
前記光電変換部の前記傾き角θを可変する調整機構を備えた
ことを特徴とする画像読取装置。
【請求項７】
請求項１ないし請求項６のいずれか１項に記載の画像読取装置において、
前記副走査に伴って前記光電変換部から逐次出力される前記読み取り方向の画像信号を、前記副走査方向と略直交する主走査方向の画像信号に変換して、前記原稿の読み取り画像を生成する傾斜変換部を備えた
ことを特徴とする画像読取装置。
【発明の詳細な説明】
【０００１】
【発明の属する技術分野】
本発明は、原稿（フィルムなど）の走査読み取りを行い、画像データを生成する画像読取装置に関する。
【０００２】
【従来の技術】
図１２および図１３は、従来の画像読取装置の走査方式を説明する図である。
以下、これら２つの従来例Ａ，Ｂについて説明する。
【０００３】
［従来例Ａ］
図１２に示す従来例Ａの走査方式では、原稿の副走査方向に直交して、ラインセンサ８１が設置される。このラインセンサ８１は、受光素子をライン状に配列して構成される。
ラインセンサ８１は、原稿がサンプリング間隔Ｄｓずつ副走査されるたびに、原稿をライン単位に読み取る。このライン単位の画像を合成することにより、原稿の読み取り画像が完成する。
【０００４】
［従来例Ｂ］
図１３に示す従来例Ｂの走査方式では、原稿の副走査方向に直交して、ラインセンサ８２が設置される。このラインセンサ８２には、２本の受光素子列８２ａ，８２ｂが設けられる。これら受光素子列８２ａ，８２ｂは、画素位置を互いに半位相ずらして配置される。
ラインセンサ８２は、２つの受光素子列で原稿を読み取ることにより、画素ずらしされた画像データを出力する。この画素ずらしされた画像データを合成することにより、原稿の読み取り画像が完成する。
【０００５】
【発明が解決しようとする課題】
画像読取装置では、原稿をより精細に読み取るため、より一層の高解像化が要求される。
従来例Ａでは、ラインセンサ８１を高画素化することにより、この高解像度化が実現できる。しかしながら、このラインセンサ８１の高画素化では、受光素子一つ当たりのアパーチャが小さくなるため、撮像感度が低下する。その結果、ラインセンサ８１から出力される画像データのＳ／Ｎが低下するという問題点があった。また、この撮像感度の低下を補うために、ラインセンサ８１の露光時間を長く設定しなければならず、画像読取装置の画像読み取り時間が長くなるという問題点があった。
【０００６】
一方、従来例Ｂでは、原稿１ラインについて、画素ずらしされた２ライン分の画像データを得ることができる。この画素ずらしされた２ライン分の画像データを合成することによって、高解像度化を実現することができる。しかしながら、ラインセンサ８２では、ライン間のアパーチャの重複率が垂直方向に５０％程度と大きいため、読み取り画像の垂直方向の鮮鋭感が低くなる。そのため、原稿の微細なディテール成分を読み取ることは難しく、読み取り画像の実効的な解像度が低くなるといった問題点があった。
そこで、本発明では、撮像感度の低下を抑えつつ、実効的な解像度を高めることが可能な画像読取装置を提供することを目的とする。
【０００７】
【課題を解決するための手段】
以下、本発明について説明する。
【０００８】
《請求項１》
請求項１に記載の画像読取装置は、画像読取対象である原稿の光を予め定められた読み取り方向に光電変換し、読み取り方向の画像信号を生成する光電変換部と、原稿と光電変換部とを副走査方向へ相対移動させて副走査を行う副走査部とを備える。この画像読取装置では、光電変換部の読み取り方向が、副走査方向に対して傾き角θ（θ≠９０度）で斜めに設定されている。
【０００９】
《請求項２》
請求項２に記載の発明は、  請求項１に記載の画像読取装置において、副走査部が、光電変換部による副走査方向の画像サンプリング間隔Ｄｓが下式に等しくなるように、副走査を実行する。
副走査方向の画像サンプリング間隔Ｄｓ＝（読み取り方向の画像サンプリング間隔Ｄｍ）・ｃｏｓθ・・・［１］
【００１０】
《請求項３》
請求項３に記載の発明は、  請求項１に記載の画像読取装置において、副走査部が、光電変換部による副走査方向の画像サンプリング間隔Ｄｓが下式に等しくなるように副走査を実行する。
副走査方向の画像サンプリング間隔Ｄｓ＝２・（読み取り方向の画像サンプリング間隔Ｄｍ）・ｃｏｓθ・・・［２］
【００１１】
《請求項４》
請求項４に記載の発明は、請求項１ないし請求項３のいずれか１項に記載の画像読取装置において、光電変換部が、読み取り方向に配設した受光素子列を、副走査方向に複数本並べた構成である。
【００１２】
《請求項５》
請求項５に記載の発明は、請求項４に記載の画像読取装置において、光電変換部は、副走査方向に受光素子が平行して並ぶ。
【００１３】
《請求項６》
請求項６に記載の発明は、請求項１ないし請求項５のいずれか１項に記載の画像読取装置において、光電変換部の傾き角θを可変する調整機構を備える。
【００１４】
《請求項７》
請求項７に記載の発明は、請求項１ないし請求項６のいずれか１項に記載の画像読取装置において、副走査に伴って光電変換部から逐次出力される読み取り方向の画像信号を、副走査方向と略直交する主走査方向の画像信号に変換して、原稿の読み取り画像を生成する傾斜変換部を備える。
【００１５】
【発明の実施の形態】
以下、図面に基づいて本発明にかかる実施形態を説明する。
【００１６】
《第１の実施形態》
第１の実施形態は、請求項１，２，３，６，７に対応する実施形態である。
図１は、本実施形態の画像読取装置１１を示す図である。
図１において、画像読取装置１１には、フィルム１２が装填される。このフィルム１２の挿入先には、複数のＬＥＤ（ＲＧＢや赤外光ＩのＬＥＤなど）からなるＬＥＤ光源１３が配置される。このＬＥＤ光源１３は、ＬＥＤ駆動回路１３ａによって駆動される。このＬＥＤ駆動回路１３ａは、マイクロプロセッサ１４からの発光制御信号によって制御される。
【００１７】
フィルム１２を通過した照明光は、レンズ１５を通過して、フィルム１２の光像を結像する。この光像の結像面に位置を合わせて、ラインセンサ１６の受光素子列が配置される。このラインセンサ１６は、マイクロプロセッサ１４からの制御信号に応じて、この光像を光電変換して画像データを生成する。
このラインセンサ１６は、センサ回動機構３１により回動駆動される回動ステージ３２の上に配置される。マイクロプロセッサ１４は、センサ回動機構３１を介して回動ステージ３２を回動することにより、ラインセンサ１６の傾き角θ（図３参照）を可変する。
【００１８】
一方、フィルム１２の周囲には、フィルム位置検出センサ１７が配置される。このフィルム位置検出センサ１７によるセンサ出力は、マイクロプロセッサ１４に出力される。マイクロプロセッサ１４は、このセンサ出力に応じて、フィルム駆動機構２３に制御信号を与える。フィルム駆動機構２３は、この制御信号に従ってフィルム１２を長手方向に断続的に移動（副走査）させる。なお、フィルム１２側を固定して、光学系側を移動させてもよい。
【００１９】
このようなフィルム１２の副走査に同期して、ラインセンサ１６からは線順次に走査された画像データが出力される。この画像データは、Ａ／Ｄ変換器２５を介してデジタル化された後、画像処理回路２６に与えられる。画像処理回路２６は、この画像データに画像処理を施す。この画像処理回路２６は、バス２１を介して、バッファメモリ２７に接続される。
また、バス２１には、マイクロプロセッサ１４およびインターフェース２８も接続される。画像読取装置１１は、このインターフェース２８を介して、外部のコンピュータ２９に接続される。
【００２０】
［発明との対応関係］
以下、発明と本実施形態との対応関係について説明する。なお、ここでの対応関係は、参考のために一解釈を例示するものであり、本発明を徒らに限定するものではない。
請求項記載の光電変換部は、ラインセンサ１６に対応する。
請求項記載の副走査部は、フィルム駆動機構２３およびマイクロプロセッサ１４に対応する。
請求項記載の調整機構は、センサ回動機構３１に対応する。
請求項記載の傾斜変換部は、コンピュータ２９に対応する。
【００２１】
［第１の実施形態の動作説明］
図２は、第１の実施形態の動作を説明する流れ図である。
ここでは、図２に示す処理ステップに沿って、画像読み取りに関する動作の概略をまず説明する。
【００２２】
ステップＳ１：  マイクロプロセッサ１４は、センサ回動機構３１を介して回動ステージ３２を回動し、ラインセンサ１６の傾き角θをユーザの設定値に合わせる。この傾き角θは、図３に示すように、フィルム１２の副走査方向に対する傾き角である。
【００２３】
ステップＳ２：  マイクロプロセッサ１４は、ユーザーによるモード選択を判別する。
ここで、全走査モードが選択されていた場合、マイクロプロセッサ１４はステップＳ３に動作を移行する。
一方、市松走査モードが選択されていた場合、マイクロプロセッサ１４はステップＳ４に動作を移行する。
【００２４】
ステップＳ３：  全走査モードのユーザー選択に応じて、マイクロプロセッサ１４は、副走査方向の画像サンプリング間隔Ｄｓを下式の値に設定する。
Ｄｓ＝（ラインセンサの画素間隔Ｄｍ）・ｃｏｓθ    ・・・［１］
このような設定動作の後、マイクロプロセッサ１４は、ステップＳ５に動作を移行する。
【００２５】
ステップＳ４：  市松走査モードのユーザー選択に応じて、マイクロプロセッサ１４は、副走査方向の画像サンプリング間隔Ｄｓを下式の値に設定する。
Ｄｓ＝２・（ラインセンサの画素間隔Ｄｍ）・ｃｏｓθ    ・・・［２］
このような設定動作の後、マイクロプロセッサ１４は、ステップＳ５に動作を移行する。
【００２６】
ステップＳ５：  マイクロプロセッサ１４は、フィルム駆動機構２３を制御して、フィルム１２を読み取り開始位置まで移動する。図５Ａに示すように、この『読み取り開始位置』は、ラインセンサ１６の受光素子が、フィルム１２のコマ開始位置に最初に重なる位置である。
【００２７】
ステップＳ６：  マイクロプロセッサ１４は、ＬＥＤ光源１３を色単位に順次点灯し、ラインセンサ１６を介してフィルム１２の光像を線順次に読み取る。このとき、ラインセンサ１６からは、図３に示すように、副走査方向に対して傾き角θだけ傾いた方向（つまり読み取り方向）のＲＧＢ信号がライン単位に出力される。
【００２８】
ステップＳ７：  マイクロプロセッサ１４は、このＲＧＢ信号をＡ／Ｄ変換した後、コンピュータ２９に転送する。
【００２９】
ステップＳ８：  マイクロプロセッサ１４は、フィルム１２について副走査が終了したか否かを判定する。
副走査が終了していない場合、マイクロプロセッサ１４は、ステップＳ９に動作を移行する。
一方、副走査が終了した場合、マイクロプロセッサ１４は、ステップＳ１０に動作を移行する。
【００３０】
ステップＳ９：  マイクロプロセッサ１４は、ステップＳ３またはステップＳ４で設定済みの画像サンプリング間隔Ｄｓだけ、フィルム１２を副走査方向に移動する。このようにしてラインセンサ１６の読み取り位置を変更した後、マイクロプロセッサ１４はステップＳ６に動作を戻す。
このようにステップＳ６〜９の動作を繰り返すことにより、フィルム１２の２次元走査が行われ、走査画像が生成される。
図３は、全走査モードにおける２次元走査の様子を示す図である。一方、図８は、市松走査モードにおける２次元走査の様子を示す図である。
【００３１】
ステップＳ１０：  コンピュータ２９（ドライバプログラム）は、傾き角θやフィルム１２の形状規格などに基づいて、走査画像から不要部分を排除する。この不要部分は、ラインセンサ１６の傾きなどの理由から、ラインセンサ１６の一部がフィルム１２の有効画面から外れて生じる領域のことである。この不要部分としては、例えば、フィルム１２のベロ部分（フィルムリーダー）や、コマ間の部分や、スライドのマウント部分や、隣接コマの画像部分や、フィルムのパーフォレーションなどの画像が該当する。
なお、隣接コマに関する不要部分については、隣接コマのプリスキャン画像として、または隣接コマの走査画像として有効利用してもよい。このような効率的な処理により、フィルム１２の画像読み取り時間を更に短縮することが可能になる。
【００３２】
ステップＳ１１：  コンピュータ２９（ドライバプログラム）は、傾き角θの値に応じて、傾いた画素配列の走査画像を画像処理し、主走査方向に画素を並べた読み取り画像に変換する（以下、この変換を『傾斜変換』という）。
【００３３】
ステップＳ１２：  コンピュータ２９（ドライバプログラム）は、今回の走査モードが市松走査モードか否かを判定する。
市松走査モードの場合、コンピュータ２９（ドライバプログラム）は、ステップＳ１３に動作を移行する。
一方、全走査モードの場合、コンピュータ２９（ドライバプログラム）は、ステップＳ１１で生成した読み取り画像をアプリケーションソフトなどへ渡して、動作を完了する。
【００３４】
ステップＳ１３：  市松走査モードでは、市松状にサンプリングされた読み取り画像が生成される。コンピュータ２９（ドライバプログラム）は、この読み取り画像を画素補間し、全画素の信号を揃える。コンピュータ２９は、補間後の読み取り画像をアプリケーションソフトなどへ渡して、動作を完了する。
上述した一連の動作により、フィルム１２の画像読み取りが完了する。次に、各走査モードにおける作用効果について、具体的に説明する。
【００３５】
［全走査モードの作用効果］
図４は、全走査モードのサンプリング位置を示す図である。図５は、画素の並べ替えを説明する図である。なお、図５では、画素の位置関係が明確になるように、奇数番目と偶数番目のサンプリングを図５Ａ，図５Ｂに分けて示している。
この全走査モードでは、上記の［１］式を満足するように、副走査の画像サンプリング間隔Ｄｓが設定される。この画像サンプリング間隔Ｄｓで副走査を行うことにより、走査画像のサンプリング位置は、図４に示すように格子状に並ぶ。
このとき、副走査方向のサンプリング間隔はＤｓ（＝Ｄｍ・ｃｏｓθ）に等しく、かつ主走査方向のサンプリング間隔はＤｍ・ｓｉｎθに等しくなる。
【００３６】
特に、傾き角θを４５度に設定した場合は、縦横のサンプリング間隔が一致するので、正方画素（画素の縦横間隔比が１）の走査画像を得ることが可能になる。
【００３７】
このように、全走査モードでは格子状の画像サンプリングが行われる。そのため、上述した傾斜変換（ステップＳ１１）では、走査画像の各画素を格子状の順番に並べ替えれば済み、簡易に読み取り画像を生成することができる。（具体的には、図５に示す走査画像において、ａ１１，ａ１２，ａ１３・・ａ２１，ａ２２，ａ２３・・の順番に画素を並べ替えればよい）
【００３８】
さらに、このような全走査モードでは、ラインセンサ１６を傾けることにより、主走査方向の画素間隔（＝Ｄｍ・ｓｉｎθ）を縮め、主走査方向の高画素化を達成できる。
【００３９】
例えば、本実施形態では、従来例Ａと対比して、下記のような主走査方向の高画素化が可能である。
傾き角θ＝６０度の場合、主走査方向の画素数１．１５倍程度
傾き角θ＝４５度の場合、主走査方向の画素数１．４１倍程度
傾き角θ＝３０度の場合、主走査方向の画素数２．００倍程度
【００４０】
一方、この主走査方向の高画素化をある程度抑えれば、受光素子の間隔Ｄｍの広いラインセンサ１６を使用することが可能になる。この場合、図６に一例を示すように、各受光素子のアパーチャを従来例Ａよりも拡大することが可能になる。このアパーチャ拡大によって、ラインセンサ１６の撮像感度を高めることが可能になる。
【００４１】
例えば、本実施形態では、従来例Ａと対比して、下記のような撮像感度の向上が可能である。
傾き角θ＝６０度の場合、撮像感度１．３倍程度
傾き角θ＝４５度の場合、撮像感度２．０倍程度
傾き角θ＝３０度の場合、撮像感度４．０倍程度
このような撮像感度の向上により、走査画像の画像Ｓ／Ｎを高めることが可能になる。
【００４２】
さらに、このアパーチャ拡大に伴って信号電荷の蓄積容量が増えて信号ダイナミックレンジが拡大し、階調豊かな画像信号を生成することも可能になる。
【００４３】
また、撮像感度が高くなった分だけラインセンサ１６の露光時間を短縮することで、画像の読み取り時間を短縮することが可能になる。
【００４４】
さらに、この全走査モードでは、ライン間のアパーチャの重複率を、図７に一例を示すように、従来例Ｂよりも小さくすることができる。その結果、従来例Ｂよりも鮮鋭感の高い読み取り画像を生成することができる。特に、本実施形態の全走査モードは、縦横方向にアパーチャがバランス良く重複するので、従来例Ｂのように垂直方向のみ鮮鋭感が下がるといった不自然さがなく、自然な読み取り画像が得られるという長所がある。
【００４５】
さらに、全走査モードでは、ラインセンサ１６の傾き角θを調整することによって、主走査方向の画素間隔（＝Ｄｍ・ｓｉｎθ）を柔軟に変更することができる。その結果、主走査方向の光学的解像度を調整可能な画像読取装置を実現することができる。
【００４６】
［市松走査モードの作用効果］
図９は、市松走査モードにおけるサンプリング位置を示す図である。
この市松走査モードでは、上記の［２］式を満足するように、副走査の画像サンプリング間隔Ｄｓが設定される。この画像サンプリング間隔Ｄｓでは、走査画像のサンプリング位置は、図９に示すように市松模様状となる。
このとき、副走査方向における解像可能な最小間隔は、Ｄｍ・ｃｏｓθに等しく、かつ主走査方向における解像可能な最小間隔は、Ｄｍ・ｓｉｎθに等しくなる。
【００４７】
特に、傾き角θを４５度に設定した場合は、縦横の解像可能な最小間隔が一致するので、解像性能が縦横に均整とれた自然な走査画像を得ることが可能になる。
【００４８】
このように、市松走査モードでは市松状にサンプリングが行われる。そのため、上述した傾斜変換（ステップＳ１１）では、走査画像の各画素を市松状の順番に割り当てて並べ替えればよく、市松配列の読み取り画像を簡易に生成することができる。この市松配列の読み取り画像に対して、ステップＳ１３の補間処理が施されることによって、格子配列の読み取り画像が生成される。
【００４９】
さらに、このような市松走査モードでは、ラインセンサ１６を傾けることにより、主走査方向の画素間隔（＝２Ｄｍ・ｓｉｎθ）を縮め、主走査方向の高画素化を達成することが可能になる。
【００５０】
一方、この主走査方向の高画素化をある程度抑えれば、受光素子の間隔Ｄｍのより広いラインセンサ１６を使用することが可能になる。この場合も、図６に一例を示すように、各受光素子のアパーチャを従来例Ａよりも拡大することが可能になる。このアパーチャ拡大により、撮像感度の向上、画像Ｓ／Ｎの向上、信号ダイナミックレンジの拡大、画像読み取り時間の短縮などの効果を得ることができる。
【００５１】
さらに、市松走査モードでは、ラインセンサ１６の傾き角θを調整することによって、主走査方向の解像可能な画素間隔（＝Ｄｍ・ｓｉｎθ）を変更することができる。その結果、主走査方向の解像限界を調整可能な画像読取装置を実現することができる。
次に、別の実施形態について説明する。
【００５２】
《第２の実施形態》
第２の実施形態は、請求項１〜７に対応する実施形態である。
第２の実施形態の構成上の特徴は、図１に示すラインセンサ１６に代えて、図１０Ａに示すラインセンサ４１を配置した点である。このラインセンサ４１は、副走査方向に２本以上の受光素子列４１ａ，４１ｂを配列して構成する。
【００５３】
このように受光素子列４１ａ、４１ｂを副走査方向に並べたことにより、一度に複数ラインの画像信号を出力することができる。その結果、副走査方向の移動回数を低減し、画像の読み取り時間を短縮することができる。
また、図１０Ａに示すラインセンサ４１は、副走査方向に受光素子が平行して並ぶ。したがって、走査画像のサンプリング位置が副走査方向に並行して並ぶので、走査画像の傾斜変換が容易になる。
【００５４】
ちなみに、傾き角θの変更によって、受光素子が副走査方向に平行しない場合は、例えば、図１０Ｂに示すように、読み取り方向に受光素子列４１ａ，４１ｂの位相をずらせばよい。また例えば、図１０Ｃに示すように、受光素子列４１ａ，４１ｂの間隔を調整してもよい。これら調整によって、副走査方向に受光素子を整列させることが可能になる。なお、このような調整は、機械的または光学的な機構などにより実現できる。
【００５５】
《実施形態の補足事項》
ところで、上述した実施形態では、副走査方向の画像サンプリング間隔Ｄｓを、［１］式または［２］式を用いて決定していた。このような画像サンプリング間隔Ｄｓでは、図４および図９に示すように、走査画像のサンプリング位置が主走査方向に整列する。その結果、傾斜変換を、画素並べ替えのみで迅速かつ簡易に実施することが可能になる。
【００５６】
しかしながら、本発明はこれに限定されるものではない。例えば、副走査方向の画像サンプリング間隔を、［１］式または［２］式と異なる値に設定してもよい。図１１は、異なる画像サンプリング間隔を設定した場合の様子を示す図である。この場合も、画像全体にサンプリング位置が均等分布し、良好な走査画像を得られることが分かる。ただし、このような走査画像の各画素は、最終的な読み取り画像の各画素と一対一に対応しないため、画素並べ替えによって傾斜変換を簡易に実行できない。このような場合は、線形補間法、バイリニア法、バイキュービック法、ニアレストネイバー法、面積比重や距離による重み付け平均、その他の画像補間法を使用して、傾斜変換を行えばよい。
【００５７】
また、上述した実施形態では、ラインセンサ１６を空間的に斜め向きに配置している。しかしながら、本発明はこれに限定されるものではない。例えば、光学系により傾斜した光像を形成することで、ラインセンサ１６の読み取り方向が副走査方向に対して斜め向きになるようにしてもよい。さらに、光学系を用いて光像の傾斜角度を可変することにより、読み取り方向の傾き角θを可変してもよい。
【００５８】
なお、上述した実施形態では、コンピュータ２９側において傾斜変換を実施するケースについて説明した。しかしながら、本発明はこれに限定されるものではない。例えば、画像読取装置１１の内部（マイクロプロセッサ１４や画像処理回路２６など）において、傾斜変換を実施してもよい。
【００５９】
また、上述した実施形態では、ユーザーが傾き角θを設定するケースについて説明した。しかしながら、本発明はこれに限定されるものではない。例えば、傾き角θを固定にしてもよい。また例えば、傾き角θが過度に小さくなって、フィルム１２の有効画面がラインセンサ１６からはみ出さないように、傾き角θの可変範囲を制限してもよい。また、フィルムサイズ（原稿の主走査方向のサイズ）に応じて、フィルム１２の有効画面がラインセンサ１６からはみ出さないように傾き角θを可変制御する制御部を設けてもよい。
【００６０】
さらに、上述した実施形態では、傾き角θを９０度以外に設定するケースについて説明した。しかし、本発明は、傾き角θが９０度に設定されるケースを除外するものではない。例えば、上述した実施形態において傾き角θが９０度に設定された場合には、従来装置と同様の読み取り動作を実施すればよい。
【００６１】
なお、本発明の好ましい適用用途としては、光電変換部の傾き角θを、画像読み取り対象の原稿または副走査方向に対して、走査中に一定値に保持できるものである。更に好ましい適用用途としては、副走査方向の画像サンプリング間隔を走査中に一定値に保持できるものである。このような条件を満足すれば、上述した高画素化や撮像感度の向上などの効果を、微細な画素のスケールレベルで確実かつ正確に達成することが可能になる。このような観点から、本発明は、実施形態のフィルムスキャナーに限定されず、フラットベットスキャナーなどに適用してもよい。
【００６２】
【発明の効果】
本発明の画像読取装置は、光電変換部の読み取り方向が、副走査方向に対して傾き角θ（θ≠９０度）で斜め向きに設定される。このような斜め向きの設定により、従来例Ａよりも光電変換部が読み取り方向に長くなる。そのため、受光素子のアパーチャを従来例Ａより大きくして、高画素化による撮像感度の低下を抑えることができる。
さらに、本発明の画像読取装置は、アパーチャの重複率が、従来例Ｂよりも小さくでき、実効的な解像度を高めることが容易になる。
【図面の簡単な説明】
【図１】画像読取装置１１を示す図である。
【図２】第１の実施形態の動作を説明する流れ図である。
【図３】全走査モードにおける２次元走査の様子を示す図である。
【図４】全走査モードのサンプリング位置を示す図である。
【図５】画素の並べ替えを示す図である。
【図６】アパーチャの比較図である。
【図７】アパーチャの重複率の比較図である。
【図８】市松走査モードにおける２次元走査の様子を示す図である。
【図９】市松走査モードにおけるサンプリング位置を示す図である。
【図１０】第２の実施形態の動作を説明する図である。
【図１１】走査画像のサンプリング位置の一例を示す図である。
【図１２】従来例Ａの走査方式を説明する図である。
【図１３】従来例Ｂの走査方式を説明する図である。
【符号の説明】
１１  画像読取装置
１２  フィルム
１３  ＬＥＤ光源
１３ａ  ＬＥＤ駆動回路
１４  マイクロプロセッサ
１５  レンズ
１６  ラインセンサ
１７  フィルム位置検出センサ
２１  バス
２３  フィルム駆動機構
２６  画像処理回路
２７  バッファメモリ
２８  インターフェース
２９  コンピュータ
３１  センサ回動機構
３２  回動ステージ
３３  センサ回動機構
４１  ラインセンサ
【図１】
2005057381.tif 000003
【図２】
2005057381.tif 000004
【図３】
2005057381.tif 000005
【図４】
2005057381.tif 000006
【図５】
2005057381.tif 000007
【図６】
2005057381.tif 000008
【図７】
2005057381.tif 000009
【図８】
2005057381.tif 000010
【図９】
2005057381.tif 000011
【図１０】
2005057381.tif 000012
【図１１】
2005057381.tif 000013
【図１２】
2005057381.tif 000014
【図１３】
2005057381.tif 000015